(57)【要約】【課題】  鉄骨を用いた建築工程において、柱ベースの設置を正確に行える簡略な方法と、それに用いる器材を提供する。【解決手段】  予め断面の内周と外周が偏心した円筒形状を有する柱ベース位置調整カラー１を装着した、アンカーボルト３ａ、３ｂ、３ｃ、３ｄに、柱ベース７の貫通孔８ａ、８ｂ、８ｃ、８ｄを嵌合した後、柱ベース位置調整カラー１を回転させたり、水平方向に移動させたりすることにより、アンカーボルトと貫通孔の間のクリアランス、つまり、アンカーボルトと貫通孔の相対的な位置関係を調整する。これによって、柱ベース７の位置を設計通りに調整することが可能となる。また、柱ベース位置調整カラー１に、内周と外周を貫通する雌ネジを設け、当該雌ネジに螺合する雄ネジを用いてクリアランスを調整することも可能である。【選択図】図１
2016079783.tif 000002
【特許請求の範囲】
【請求項１】
基礎コンクリートに一方の端が埋め込まれた、柱ベースを固定するためのアンカーボルトに、円筒形状の柱ベース位置調整用カラーを装着する工程、
前記柱ベース位置調整用カラーを装着したアンカーボルトに、柱ベースに設けられたアンカーボルト挿通用の貫通孔を嵌合することにより、柱ベースを前記基礎コンクリート上または、前記基礎コンクリートに設けられたベースモルタル上に設置する工程、
前記貫通孔の内周における、前記柱ベース位置調整用カラーの外周の、相対的な位置を調整することにより、前記柱ベースの位置を調整する工程、
を有することを特徴とする建築工法。
【請求項２】
前記ベースモルタルとほぼ同じ高さのスペーサを、前記柱ベース位置調整用カラーの下に挿入する工程を含むことを特徴とする、請求項１に記載の建築工法。
【請求項３】
前記柱ベース位置調整カラーの少なくとも一つは、内径が前記アンカーボルトの外径よりも大きく、少なくとも１箇所に内周と外周の間を貫通する雌ネジを設けることにより、前記雌ネジに螺合する雄ネジにより、前記柱ベース位置調整用カラーの内周と前記アンカーボルトとの相対的な位置が調整可能であることを特徴とする、請求項１または請求項２に記載の建築工法。
【請求項４】
前記柱ベースを前記基礎コンクリート上または、前記基礎コンクリートに設けられたベースモルタル上に設置する前に、
前記ベースモルタルの表面に、前記柱ベースの柱通り墨の墨出しを行う工程、
前記アンカーボルトの挿通孔を有し、前記柱ベースの柱芯墨の墨出しを施したテンプレートを、前記柱通り墨に前記柱芯墨を合わせて、ベースモタルの上に載置する工程、
前記挿通孔と前記アンカーボルトとの隙間に適合する前記柱ベース位置調整用カラーを選択して、少なくとも２箇セットした後、前記テンプレートを除去する工程を含むことを特徴とする、請求項１ないし請求項３のいずれかに記載の建築工法。
【請求項５】
高さ方向に垂直な断面の内周と外周の中心が同一である円筒形状を有することを特徴とする、請求項１ないし請求項４のいずれかに記載の建築工法用の柱ベース位置調整用カラー。
【請求項６】
高さ方向に垂直な断面の内周と外周が偏心している円筒形状を有することを特徴とする、請求項１ないし請求項４のいずれかに記載の建築工法用の柱ベース位置調整用カラー。
【請求項７】
少なくとも１箇所に内周と外周の間を貫通する雌ネジが設けられてなることを特徴とする、請求項５または請求項６に記載の建築工法用の柱ベース位置調整用カラー。
【請求項８】
外周の少なくとも一部に、上方向に抜き出すための係止部を有することを特徴とする、請求項５ないし請求項７のいずれかに記載の建築工法用の柱ベース位置調整用カラー。
【発明の詳細な説明】
【技術分野】
【０００１】  本発明は、建築工程において、基礎コンクリートに予め埋設したアンカーボルトを用いて、鉄骨の柱ベースを固定する方法と、それに用いる、柱ベース位置調整用も器材に関するものである。
【背景技術】
【０００２】  鉄骨の柱と梁を用いる建築物の構造は、ラーメン構造、ピン構造に大別される。また、柱と梁などの部材を工場で熔接して、建築現場に設置する従来の工法の他に、建築現場で熔接を行うウエルサイト工法も実施されている。【０００３】  これらの工法における課題として、次のような事項が挙げられる。
（１）鉄骨建築では、柱を固定するアンカーボルトを基準に柱ベースが設置されるが、通常、アンカーボルトの外径と、アンカーボルトを挿通するために設けられている柱ベースの貫通孔の内径との間には、一定のクリアランスが設けられているため、単にアンカーボルトに柱ベースの貫通孔を嵌合させただけでは、正確な位置に設置できない。
（２）一度設置したアンカーボルトの位置の修正は極めて困難である。
（３）柱ベース位置が正確に設定できないと、柱の建て縒りを図面に適合させるのが困難である。【０００４】  これを解決するための手段の一例として、特許文献１には円錐ナットを用いて、柱ベースのアンカーボルトを挿通するための貫通孔の芯を、アンカーボルトの芯に合致させる技術が開示されている、しかしながら、この技術では、アンカーボルトの設置位置を正確に決める必要があり、上記課題には必ずしも適合していない点がある。【０００５】  また、特許文献２には、ボールスクリューとモータを用いて柱のベース位置を調整する技術が開示されている。しかしながら、この技術では、装置全体がやや大掛かりになり、使用が制限される場合が想定される。【０００６】  さらに、本発明者は、特許文献３において、柱ベースの位置に、その設置位置を型枠に取り付けた型枠連結ボルトを用いて微調整した後に、モルタルで固定することが可能な、柱ベース位置決めボルトを設置し、これに予め柱ベースの芯に穿孔した孔を嵌合する方法を提案している。しかし、この方法も部品数の削減などの観点で、なお改善の余地がある。
【先行技術文献】
【特許文献】
【０００７】
【特許文献１】  特開平１０−１６８８９７号公報
【特許文献２】  特開平０７−２９２９８９号公報
【特許文献３】  特許第５０７７８５６号公報
【発明の概要】
【発明が解決しようとする課題】
【０００８】  従って、本発明の課題は、鉄骨を用いた建築工程において、柱ベースの設置を正確に行える簡略な方法と、それに用いる器材を提供することにある。
【課題を解決するための手段】
【０００９】  本発明は、前記のように、アンカーボルトの外径と、アンカーボルトを挿通するために設けられている柱ベースの貫通孔の内径との間には、一定のクリアランスがあるが、当該クリアランスを適切に調整し、柱ベースが設置されるべき位置を、正確に決めることを検討した結果、なされたものである。【００１０】  即ち、本発明は、基礎コンクリートに一方の端が埋め込まれた、柱ベースを固定するためのアンカーボルトに、円筒形状の柱ベース位置調整用カラーを装着する工程、
前記柱ベース位置調整用カラーを装着したアンカーボルトに、柱ベースに設けられたアンカーボルト挿通用の貫通孔を嵌合することにより、柱ベースを前記基礎コンクリート上または、前記基礎コンクリートに設けられたベースモルタル上に設置する工程、
前記貫通孔の内周における、前記柱ベース位置調整用カラーの外周の、相対的な位置を調整することにより、前記柱ベースの位置を調整する工程、
を有することを特徴とする建築工法である。【００１１】  また、本発明は、前記ベースモルタルとほぼ同じ高さのスペーサを、前記柱ベース位置調整用カラーの下に挿入する工程を含むことを特徴とする、前記の建築工法である。【００１２】  また、本発明は、前記柱ベース位置調整カラーの少なくとも一つが、内径が前記アンカーボルトの外径よりも大きく、少なくとも１箇所に内周と外周の間を貫通する雌ネジを設けることにより、前記雌ネジに螺合する雄ネジにより、前記柱ベース位置調整用カラーの内周と前記アンカーボルトとの相対的な位置が調整可能であることを特徴とする、前記の建築工法である。【００１３】また、本発明は、前記柱ベースを前記基礎コンクリート上または、前記基礎コンクリートに設けられたベースモルタル上に設置する前に、
前記ベースモルタルの表面に、前記柱ベースの柱通り墨の墨出しを行う工程、
前記アンカーボルトの挿通孔を有し、前記柱ベースの柱芯墨の墨出しを施したテンプレートを、前記柱通り墨に前記柱芯墨を合わせて、ベースモタルの上に載置する工程、
前記挿通孔と前記アンカーボルトとの隙間に適合する前記柱ベース位置調整用カラーを選択して、少なくとも２箇セットした後、前記テンプレートを除去する工程を含むことを特徴とする、前記の建築工法である。【００１４】  また、本発明は、高さ方向に垂直な断面の内周と外周の中心が同一である円筒形状を有することを特徴とする、前記の建築工法用の柱ベース位置調整用カラーである。【００１５】  また、本発明は、高さ方向に垂直な断面の内周と外周が偏心している円筒形状を有することを特徴とする、前記の建築工法用の柱ベース位置調整用カラーである。【００１６】  また、本発明は、少なくとも１箇所に内周と外周の間を貫通する雌ネジが設けられてなることを特徴とする、前記の建築工法用の柱ベース位置調整用カラーである。【００１７】  また、本発明は、外周の少なくとも一部に、上方向に抜き出すための係止部を有することを特徴とする、前記の建築工法用の柱ベース位置調整用カラーである。
【発明の効果】
【００１８】  本発明の建築工法においては、内周と外周が偏心した円筒形状を備えた柱ベース位置調整用カラーを、予めアンカーボルトの外周に装着した状態で、柱ベースを設置するので、柱ベース位置調整用カラーの位置を調整したり、柱ベース位置調整用カラーに設けられた雌ネジに螺合した雄ネジの螺合状態を調整したりすることで、アンカーボルトの外周側と、柱ベースの貫通孔の内周側とのクリアランス調整できる。つまり、柱ベースを設計通りの位置に正確に設置できる。
【図面の簡単な説明】
【００１９】
【図１】  本発明に係る柱ベースの設置方法の一例を説明するための斜視図。
【図２】  本発明に用いる柱ベース位置調整用カラーの一例を示す図、図２（ａ）は斜視図、図２（ｂ）は平面図、図２（ｃ）は側面の断面図。
【図３】  本発明に用いる柱ベース位置調整用カラーで、雌ネジを設けた一例を示す図、図３（ａ）は平面図、図３（ｂ）は正面図、図３（ｃ）は側面の断面図。
【図４】  本発明に用いるスペーサの一例を示す斜視図。
【図５】  本発明に用いる柱ベース位置調整用カラーの、偏心がなく高さを低く調製した一例、図５（ａ）は平面図、図５（ｂ）は斜視図。
【図６】  本発明に用いる柱ベース位置調整用カラーの、偏心があり高さを低く調製した一例、図６（ａ）は平面図、図６（ｂ）は斜視図。
【図７】  本発明に係る柱ベースの設置方法で、柱ベース位置調整用カラーをアンカーボルトに嵌合したままで、次工程を行う場合の一例を示す図。
【発明を実施するための形態】
【００２０】  次に、本発明の実施の形態について、具体的な図に基づいて説明する。
【００２１】  図１は、本発明に係る柱ベースの設置方法の一例を説明するための斜視図である。図１において、１は柱ベース位置調整用カラー、２は柱ベース位置調整用カラーの高さを調整するためのスペーサ、３ａ、３ｂ、３ｃ、３ｄはアンカーボルト、４は基礎コンクリート、５は柱ベースを設置する位置に設けたベースモルタル、６は柱、７は柱ベース、８ａ、８ｂ、８ｃ、８ｄはアンカーボルトを挿通するための貫通孔である。９はテンプレート、１０ａ、１０ｂ、１０ｃ、１０ｄは、テンプレートに設けられた、アンカーボルト用の挿通孔、１１ａは柱芯墨、１１ｂは柱通り墨である。
【００２２】  ここでは、位置決めをより容易にするために、ベースモルタル５に、予め柱通り墨の墨出し行い、柱芯墨の墨出しを施したテンプレート９の柱芯墨を、柱通り墨１１ｂに合わせて設置する例を示した。この場合は、挿通孔１０ａ、１０ｂ、１０ｃ、１０ｄのうちの少なくとも２箇所、望ましくは対角線上に、アンカーボルトとの隙間に適合する柱ベース位置調整用カラーを選択してセットして、柱ベース７の設置位置を確定した後、テンプレート９を外す。この手順は、柱６を設置した後、柱ベース位置調整用カラーを除去する場合も、埋め込んだままにする場合も同様である。
【００２３】  また、図１においては、説明の便宜上、４本のアンカーボルト３ａ、３ｂ、３ｃ、３ｄのうちの１本のみに柱ベース位置調整用カラー１を装着した例を示している。また、通常は柱６の安定性向上などのため、基礎コンクリートの上にベースモルタル５を設けるが、その際は、柱ベースの貫通孔８ａ、８ｂ、８ｃ、８ｄから、調整作業に必要な分だけ、柱ベース位置調整用カラー１が露出しなくなるので、スペーサ２を用いる。このスペーサ２は、作業終了後に除去する都合上、後述するように切り欠き部を備えたリング形状のものを用いるのが望ましい。
【００２４】  ただし除去が不要であれば、ワッシャなどを必要な高さ分だけ重ねて用いることも可能である。また、柱ベース位置調整用カラー１は、アンカーボルト３ａ、３ｂ、３ｃ、３ｄの外径や、貫通孔８ａ、８ｂ、８ｃ、８ｄの内径が１種類ではないので、それに適合し得るように、例えば０．５ｍｍ刻みで、サイズを揃えておいたり、偏心の程度が異なるものを揃えておいたりする必要がある。
【００２５】  そして、前記のテンプレート９を用いない場合は、レーザー測定器などを用い、柱ベース７の位置決めを行うが、その際に、柱ベース位置調整用カラー１を回転させたり、水平方向に移動したりして、柱ベース７の設置位置を微調整することができる。その後、アンカーボルト３ａ、３ｂ、３ｃ、３ｄに、図示していないナットを螺合させて十分に締め付け、柱ベース７を固定する。
【００２６】  その際は、対角線の位置の、二つの柱ベース位置調整用カラーとスペーサを除去して、ナットを螺合させて締めつけ、その後、残り二つの柱ベース位置調整用カラーとスペーサを除去して、同様にナットを締めつけて柱ベース７を固定する。このような方法で、ナットの締めつけを行うことにより、１箇所のナットの締めつける際に柱ベースに加わる力で、他の貫通孔の位置がずれることがない。
【００２７】  図２は、本発明に用いる柱ベース位置調整用カラーの一例を示す図で、図２（ａ）は斜視図、図２（ｂ）は平面図、図２（ｃ）は側面の断面図である。図２において、１２は柱ベース位置調整用カラー、１３はスリット、１４はテーパ部、１５ａ、１５ｂは、柱バース７を設置した後、柱ベース位置調整用カラー１２を、上方向に抜き出すための係止部である。
【００２８】  この例は、図２（ｂ）に示したように、内周を構成する円が、図における上の方に偏心している。スリット１３は柱ベース７の位置調整終了後に、柱ベース位置調整用カラー１２の外径を縮小して、除去作業を容易にするために設けたものである。また、テーパ部１４は、柱ベース７の貫通孔１０ａ、１０ｂ、１０ｃ、１０ｄへの挿入作業を容易にするために設けたのは勿論である。
【００２９】  図３は、本発明に用いる柱ベース位置調整用カラーで、雌ネジを設けた一例を示す図で、図３（ａ）は平面図、図３（ｂ）は正面図、図３（ｃ）は側面の断面図である。図３において、１６は柱ベース位置調整用カラー、１７はスリット、１８はスリットを加工する際の止まり穴、１９は六角穴付き止めネジを螺合するための雌ネジ、２０はアンカーボルトの雄ネジの損傷を防止するための鉄板、２１はテーパ部である。
【００３０】  この例では、アンカーボルトを六角穴付き止めネジで押し込むことで、アンカーボルトと柱ベース位置調整用カラー１６との相対的な位置を調整することができる。この調整作業においては、六角穴付き止めネジでアンカーボルトを押し込むので、六角穴付き止めネジの先端で、アンカーボルトの雄ネジを損傷する可能性があり、鉄板２０でアンカーボルトの雄ネジを保護する。
【００３１】  この鉄板２０は、柱ベース位置調整用カラー１６のスリット１７の内周側に設けた溝に嵌合させておくことができる。また、スリット１７の機能は、図２に示したものと同様である。なお、鉄板２０は、脱落しないように、溝の上端または下端のいずれか一方に、熔接などの方法で接合しておくこともできる。
【００３２】  図４は、本発明に用いるスペーサの一例を示す斜視図である。図４において２２はスペーサ、２３は切り欠き部である。このスペーサ２２の使用方法は、図１に示した通りで、柱ベース７がベースモルタル５の高さの分だけ、柱ベース位置調整用カラー１を持ち上げる必要がある場合に、下部を支えるために用いる。また、切り欠き部２３を設けることで、柱ベース７の設置位置調整作業終了後のスペーサ２２の除去が容易となる。
【００３３】  また、当然のことながら、本発明の柱ベース位置調整用カラーは、柱ベースの位置調整後にアンカーボルトに嵌合させたままで、その後の工程を進めることも可能である。図５は、本発明に用いる柱ベース位置調整用カラーの、偏心がなく、高さを低く調製した一例を示す図で、図５（ａ）は平面図、図５（ｂ）は斜視図である。
【００３４】  柱ベース位置調整用カラーを、アンカーボルトに嵌合したまま、柱ベースを固定する場合は、柱ベース表面より上に、柱ベース位置調整用カラーの頂部が突出すると、その後の作業に支障を生じるので、全体の高さを低く抑える必要があるので、高さを低く抑えて設計したものである。
【００３５】  また、図６は、本発明に用いる柱ベース位置調整用カラーの、偏心があり、高さを低く調製した一例を示す図で、図６（ａ）は平面図、図６（ｂ）は斜視図である。図６において、２４はアンカーボルトと柱ベース位置調整用カラーとの、相対的な位置を調整するための、六角穴付き止めネジ、２５は柱ベース位置調整用カラーの、外径や偏心の寸法などの仕様を表示した、仕様表示部である。この仕様表示２５を設けておくことで、その都度、寸法や偏心の度合いなどを確認することが不要になるので、現場での作業を、より円滑に行えるようになる。
【００３６】  この場合は偏心があるので、六角穴付き止めネジ２４を用いて、アンカーボルトと柱ベース位置調整用カラーとの相対的な位置を調整できる。そして、この場合は、柱ベース位置調整用カラーをアンカーボルトに嵌合したままで次工程を行うので、図３に示したアンカーボルトの雄ネジを保護するための鉄板２０は設けなくともよい。また、位置調整後は、柱ベース位置調整用カラーを、接着剤などを用いて固定して取り除くことも可能である。
【００３７】  図７は、本発明に係る柱ベースの設置方法で、柱ベース位置調整用カラーをアンカーボルトに嵌合したままで、次工程を行う場合の一例を示す図である。図７において、２６は柱、２７は柱ベース、２８はアンカーボルト、２９は柱ベース位置調整用カラー、３０はベースモルタル、３１は基礎コンクリートである。ここに示したように、柱ベース位置調整用カラー２９を埋め込む場合は、柱ベース位置調整用カラー２９の頂部が、柱ベース２７の表面よりも上に突出しないようにする必要がある。
【００３８】  以上に説明したように本発明によれば、簡略な方法で、鉄骨建築における基礎コンクリートへの柱の設置位置の調整を行う方法と、それに用いる器材を提供することができる。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００３９】１，１２，１６，２９  ・・・  柱ベース位置調整用カラー
２，２２  ・・・  スペーサ
３ａ，３ｂ，３ｃ，３ｄ，２４  ・・・  アンカーボルト
４，３１  ・・・  基礎コンクリート    ５，３０  ・・・  ベースモルタル
６，２６  ・・・  柱    ７，２７  ・・・  柱ベース
８ａ，８ｂ，８ｃ，８ｄ  ・・・  貫通孔
１０ａ，１０ｂ，１０ｃ，１０ｄ  ・・・  挿通孔
１１ａ  ・・・  柱墨芯    １１ｂ  ・・・  柱通り墨
１３，１７  ・・・  スリット    １４，２１  ・・・  テーパ部
１５ａ，１５ｂ，２１ａ，２１ｂ  ・・・  係止部
１８  ・・・  止まり穴    １９  ・・・  雌ネジ
２０  ・・・  鉄板    ２３  ・・・  切り欠き部
２４  ・・・  六角穴付き止めネジ    ２５  ・・・  仕様表示部
【図１】
2016079783.tif 000003
【図２】
2016079783.tif 000004
【図３】
2016079783.tif 000005
【図４】
2016079783.tif 000006
【図５】
2016079783.tif 000007
【図６】
2016079783.tif 000008
【図７】
2016079783.tif 000009